【事件の表示】
　商願２０１６−６６８８０拒絶査定不服審判事件について，次のとおり審決する。
【結　論】
　本件審判の請求は，成り立たない。
【理　由】
１　本願商標
　本願商標は，別掲１のとおりの構成よりなり，第１８類「傘，テラス用傘，ガーデンパラソル，傘の骨，パラソルベース，傘カバー」を指定商品として，平成２８年６月２０日に登録出願されたものである。
２　引用商標
　原査定において，本願商標が商標法第４条第１項第１１号に該当するものとして，本願の拒絶の理由に引用した登録商標は，以下のとおりであり，いずれも現に有効に存続しているものである（以下の引用商標１及び２を総称して「引用商標」ということがある。）。
（１）登録第８９７６６号の１の２商標（以下「引用商標１」という。）は，別掲２のとおりの構成よりなり，大正６年８月２５日登録出願，第７類に属する商標登録原簿記載のとおりの商品を指定商品として，同年１２月１１日に設定登録されたものであり，その後，平成２０年２月２０日に指定商品を第１８類「傘金具，傘の骨，つえ金具」とする指定商品の書換登録がされたものである。
（２）登録第２２１０４５７号商標（以下「引用商標２」という。）は，別掲３のとおりの構成よりなり，昭和５６年３月１１日登録出願，第２２類に属する商標登録原簿記載のとおりの商品を指定商品として，平成２年２月２３日に設定登録されたものであり，その後，同２３年１１月９日に指定商品を第１８類「傘並びにその部品及び附属品，ステッキ，つえ，つえ金具，ステッキ及びつえの柄」及び第２５類「靴類（「靴合わせ釘・靴くぎ・靴の引き手・靴びょう・靴保護金具」を除く。），げた，草履類」とする指定商品の書換登録がされたものである。
３　当審の判断
（１）本願商標と引用商標の類否について
　ア　本願商標
　本願商標は，別掲１のとおり，左側に，傘をさしたキツネの構図よりなる，輪郭を細線で簡潔に描いた図形を（以下「キツネ図形部分」という。），その右側には，その一部をわずかに重ねて横並びで，キツネ図形部分と同じ細線にて袋文字風に表した「ＦＯＸ」の欧文字を肉太で大きく書し，その上に一部をわずかに重ねて，細字の筆記体で右上がりに表した「Ｈｏｙｌａｎｄ」の欧文字を配置してなるところ，「ＦＯＸ」の欧文字部分は「狐（キツネ）」の意味を有する，我が国でも比較的親しまれた英語を表してなるものと認識できるが（参照：「広辞苑　第６版」岩波書店発行），「Ｈｏｙｌａｎｄ」の欧文字部分は，一般的な外国語辞書などには記載も見当たらない語であり，特定の意味合いを直ちに想起させるものではない（参照：「リーダーズ英和辞典」研究社発行；「ジーニアス英和辞典　第５版」大修館書店発行）。
　そして，本願商標の構成中，キツネ図形部分と「ＦＯＸ」の欧文字部分は，一部をわずかに重ねて左右横並びでバランスよく配置されており，いずれも輪郭線でボリューム感をもって表されているため，視覚上まとまりのよい一体的な印象を与えるものである。しかも，キツネ図形部分は，傘をさしたキツネの構図よりなるが，当該構図中の傘の図は，その指定商品との関係においては商品を表したにすぎず，自他商品識別標識としては印象に残りにくい構成要素であり，当該構図中のキツネの図とその横に記載された「キツネ」の観念を生じる「ＦＯＸ」の欧文字部分は観念上のつながりを有するものである。
　一方で，本願商標の構成中，「Ｈｏｙｌａｎｄ」の欧文字部分は，キツネ図形部分と「ＦＯＸ」の欧文字部分とは近接又は一部が接して配置されているものの，それらの書体又は輪郭描写とは異なり，細字の筆記体で表されており，右上がりであることもあいまって，他の構成部分とは分離した印象を与えるものである。しかも，「Ｈｏｙｌａｎｄ」の欧文字部分は，特定の観念を生じないため，キツネ図形部分及び「ＦＯＸ」の欧文字部分との間に，観念上のつながりはない。
　そうすると，本願商標は，キツネ図形部分及び「ＦＯＸ」の欧文字部分は，その構成上及び観念上のつながりから，まとまりよく，一体的な印象を与える一方で，「Ｈｏｙｌａｎｄ」の欧文字部分は，キツネ図形部分及び「ＦＯＸ」の欧文字部分とは，構成上及び観念上も分離した印象を与えるものであって，両者はそれぞれ自他商品の識別力を有するものとみるのが相当であるから，これに接する取引者，需要者に，常に一体不可分のものであるとして認識されるとはいい難く，その構成中のキツネ図形部分及び「ＦＯＸ」の欧文字部分を要部として抽出し，これを引用商標と比較して商標そのものの類否を判断することも許されるものである。
　以上を踏まえると，本願商標は，要部であるキツネ図形部分及び「ＦＯＸ」の欧文字部分に相応して，「フォックス」の称呼及び「キツネ」の観念が生じる。
　イ　引用商標
　引用商標は，いずれも「ＦＯＸ」の文字を肉太の書体で横書きしてなるところ，それぞれの構成文字に相応して，「フォックス」の称呼及び「キツネ」の観念が生じる。
　ウ　本願商標と引用商標の比較
　本願商標の要部であるキツネ図形部分及び「ＦＯＸ」の欧文字部分と引用商標を比較すると，それぞれ「フォックス」の称呼及び「キツネ」の観念において共通する。そして，外観においては，キツネ図形部分の有無及び欧文字の書体に差異があるものの，欧文字部分のつづりは共通する。
　以上のとおり，本願商標は，その要部における引用商標との外観，称呼及び観念の共通性を総合的に勘案すれば，両商標は，同一又は類似の商品に使用されるときは，相紛らわしい類似する商標というべきである。
（２）本願商標と引用商標の指定商品の同一又は類似について
　本願商標の指定商品は，引用商標１の指定商品「傘金具，傘の骨」と，引用商標２の指定商品「傘並びにその部品及び附属品」と同一又は類似するものといえる。
（３）請求人の主張について
　ア　請求人は，「ＦＯＸ」の欧文字又はそれを含む商標登録例を多数提示し，称呼や観念が同一であっても，わずかな差異で識別は可能である旨を主張する。
　しかし，上記（１）アのとおり，本願商標は，その構成中，キツネ図形部分及び「ＦＯＸ」の欧文字部分を要部として抽出し，これを引用商標と比較して商標そのものの類否を判断することも許されるものであり，上記（１）ウのとおり，その要部と引用商標との比較において，外観，称呼及び観念の共通性を考慮すれば，図形部分の有無や書体の相違という差異があるとしても，互いに紛らわしい類似する商標というべきである。
　イ　請求人は，本願商標の構成中，「Ｈｏｙｌａｎｄ」の欧文字部分は造語であるため「ＦＯＸ」の欧文字部分よりも識別力があること，キツネの図形部分にもオリジナリティがあるため十分に識別力があること，「Ｈｏｙｌａｎｄ」の欧文字部分がキツネの図形部分とともに要部となること，「Ｈｏｙｌａｎｄ」は地名を想起させ「Ｈｏｙｌａｎｄ」と「ＦＯＸ」の文字は，架空の場所に住んでいるキツネという一体的な観念を生じさせること，傘をさしたキツネの図形は当該観念と一体感があることなどを根拠に，本願商標は全体として一体であり，引用商標とは実質的には区別できる旨を主張する。
　しかし，上記（１）アのとおり，本願商標の構成中，キツネ図形部分及び「ＦＯＸ」の欧文字部分と「Ｈｏｙｌａｎｄ」の欧文字部分とは，構成上及び観念上分離した印象を与えるものであるから，それぞれ自他商品の識別力を有するものとみるのが相当である。
　そうすると，本願商標は，「Ｈｏｙｌａｎｄ」の欧文字部分が本願商標の要部として認識されるとしても，全体として，常に一体不可分のものであるとして認識されるとはいい難い。
　ウ　以上のとおり，請求人の主張はいずれも採用，採択できない。
（５）まとめ
　以上のとおり，本願商標は，引用商標と類似し，その指定商品も，引用商標の指定商品と同一又は類似するものであるから，商標法第４条第１項第１１号に該当し，登録することができない。
　よって，結論のとおり審決する。